(57)【要約】位置情報を用いたスキャニング方法及び異種セルの基地局選択方法が開示される。本発明の一実施例による位置情報を用いたスキャニング方法は、端末がネットワーク進入プロセスを行いながら、登録要請メッセージの追加フィールドを設定して、位置情報を用いたハンドオーバーが支援されるか否かを基地局に通知し、前記端末で測定したチャンネル品質が臨界値未満であると、前記基地局から受信したＬＢＳ公示メッセージの基地局座標を用いてスキャニングしながらＬＢＳ情報を生成し、前記生成されたＬＢＳ情報をスキャニング報告メッセージに含めて前記基地局に伝送し、前記基地局から、前記ＬＢＳ情報に基づいて選択された異種セルの推奨基地局情報を受信し、前記推奨基地局情報に基づいてスキャニングするステップを含む。本発明の実施により、移動端末がスキャニングするのにかかる時間を節約し、セル選択／再選択／ハンドオーバーの遅延時間を減少できる。【選択図】図３
2011512107.tif 000002
【特許請求の範囲】
【請求項１】
異種セル間のセル選択またはハンドオーバーを行うために、異種セルをスキャニングする方法であって、
端末がネットワーク進入プロセスを行いながら、登録要請メッセージの追加フィールドを設定して、位置情報を用いたハンドオーバーが支援されるが否かを基地局に通知するステップと、
前記端末で測定したチャンネル品質が臨界値未満であると、前記基地局から受信された位置情報（Ｌｏｃａｔｉｏｎ  Ｂａｓｅｄ  Ｓｅｒｖｉｃｅ：  ＬＢＳ）公示メッセージの基地局座標を用いてスキャニングしながらＬＢＳ情報を生成するステップと、
前記生成されたＬＢＳ情報を、スキャニング報告メッセージに含めて前記基地局に伝送するステップと、
前記基地局から、前記ＬＢＳ情報に基づいて選択された異種セルの推奨基地局情報を受信するステップと、
前記推奨基地局情報に基づいてスキャニングするステップと、
を含む、位置情報を用いたスキャニング方法。
【請求項２】
前記ＬＢＳ情報は、
ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）またはＴＯＡ（Ｔｉｍｅ  ｏｆ  Ａｒｒｉｖａｌ）のうち少なくとも一つを含むことを特徴とする、請求項１に記載の位置情報を用いたスキャニング方法。
【請求項３】
前記スキャニングするステップは、
前記端末のスキャニング要請メッセージに対応して受信したスキャニング応答メッセージのスキャン区間で、前記推奨基地局情報に基づいてスキャニングすることを特徴とする、請求項１に記載の位置情報を用いたスキャニング方法。
【請求項４】
前記スキャニングするステップは、
前記端末のスキャニング要請メッセージに対応して受信したスキャニング応答メッセージのスキャン反復回数だけ、前記推奨基地局情報に基づいてスキャニングすることを特徴とする、請求項１に記載の位置情報を用いたスキャニング方法。
【請求項５】
前記推奨基地局情報を受信するステップは、
前記基地局にスキャニング要請メッセージを伝送して、前記基地局から、前記ＬＢＳ情報に基づいて選択された異種セルの推奨基地局情報を受信することを特徴とする、請求項１に記載の位置情報を用いたスキャニング方法。
【請求項６】
前記推奨基地局情報は、
ＲＡＴ  ＩＤ及び前記ＲＡＴ  ＩＤ別推奨基地局のインデックスを含むことを特徴とする、請求項１に記載の位置情報を用いたスキャニング方法。
【請求項７】
前記スキャニングした結果に基づいてチャンネル品質の最も良いセルを選択するステップをさらに含むことを特徴とする、請求項１に記載の位置情報を用いたスキャニング方法。
【請求項８】
異種セル間のセル選択またはハンドオーバーを行うために、異種セルをスキャニングする方法であって、
端末がネットワーク進入プロセスを行いながら、登録要請メッセージの追加フィールドを設定して、位置情報を用いたハンドオーバーが支援されるか否かを基地局に通知するステップと、
前記端末で測定したチャンネル品質が臨界値未満であると、前記基地局から受信したＬＢＳ公示メッセージの基地局座標を用いてスキャニングしながらＬＢＳ情報を生成するステップと、
前記生成されたＬＢＳ情報を、スキャニング要請メッセージに含めて前記基地局に伝送し、前記基地局から、前記ＬＢＳ情報に基づいて選択された異種セルの推奨基地局情報を受信するステップと、
前記推奨基地局情報に基づいてスキャニングするステップと、
を含む、位置情報を用いたスキャニング方法。
【請求項９】
前記ＬＢＳ情報は、
ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）またはＴＯＡ（Ｔｉｍｅ  ｏｆ  Ａｒｒｉｖａｌ）のうち少なくとも一つを含むことを特徴とする、請求項８に記載の位置情報を用いたスキャニング方法。
【請求項１０】
前記推奨基地局情報は、
ＲＡＴ  ＩＤ及び前記ＲＡＴ  ＩＤ別推奨基地局のインデックスを含むことを特徴とする、請求項８に記載の位置情報を用いたスキャニング方法。
【請求項１１】
異種セル間のセル選択またはハンドオーバーを支援するために、異種セルの基地局を選択する方法であって、
端末から受信する登録要請メッセージの追加フィールドから、位置情報を用いたハンドオーバーが支援されると確認されると、基地局の座標を、前記基地局のＬＢＳ公示メッセージに含めて前記端末に伝送するステップと、
前記端末から、前記基地局の座標を用いてスキャニングしながら生成されたＬＢＳ情報を、前記端末のスキャニング報告メッセージを通じて受信するステップと、
前記ＬＢＳ情報に基づいて異種セルの基地局を選択して生成された推奨基地局情報を前記端末に伝送するステップと、
を含む、異種セルの基地局選択方法。
【請求項１２】
前記推奨基地局情報は、
ＲＡＴ  ＩＤ及び前記ＲＡＴ  ＩＤ別推奨基地局のインデックスを含むことを特徴とする、請求項１１に記載の異種セル基地局選択方法。
【請求項１３】
異種セル間のセル選択またはハンドオーバーを支援するために、異種セルの基地局を選択する方法であって、
端末から受信する登録要請メッセージの追加フィールドから、位置情報を用いたハンドオーバーが支援されると確認されると、基地局の座標を、前記基地局のＬＢＳ公示メッセージに含めて前記端末に伝送するステップと、
前記端末から、前記基地局の座標を用いてスキャニングしながら生成されたＬＢＳ情報を、前記端末のスキャニング要請メッセージを通じて受信するステップと、
前記ＬＢＳ情報に基づいて異種セルの基地局を選択して生成された推奨基地局情報を、前記端末に伝送するステップと、
を含む、異種セルの基地局選択方法。
【請求項１４】
前記推奨基地局情報は、
ＲＡＴ  ＩＤ及び前記ＲＡＴ  ＩＤ別推奨基地局のインデックスを含むことを特徴とする、請求項１３に記載の異種セル基地局選択方法。
【発明の詳細な説明】
【技術分野】
【０００１】
本発明は、ＩＥＥＥ  ８０２．１６ｍセルとＮｏｎ−８０２．１６ｍセル間の移動性に係り、特に、移動端末の位置情報（Ｌｏｃａｔｉｏｎ  ｂａｓｅｄ  ｓｅｒｖｉｃｅ：ＬＢＳ）に基づいて基地局が決定した推奨セルを用いて、移動端末が異種セルの隣接基地局をスキャニングする方法に関するものである。
【背景技術】
【０００２】
ＩＥＥＥ  ８０２．１６ｍシステムは、同種セル間及び異種セル間の通信を支援するのに対し、既存のＩＥＥＥ  ８０２．１６ｅシステムは、同種セル間の通信のみを支援する。
【０００３】
図１は、ＩＥＥＥ  ８０２．１６ｅシステムにおいて移動端末がセル選択を行うプロセスの例を示す図である。
【０００４】
移動端末は、初めて電源（Ｐｏｗｅｒ）をつけると、移動端末は、現在セルからＤＬ／ＵＬ  ＭＡＰ、ＤＣＤ／ＵＣＤメッセージを受信し、アップリンク／ダウンリンクパラメータ（ＵＬ／ＤＬ  Ｐａｒａｍｅｔｅｒ）を得て、基地局と同期を合わせる。移動端末は、基地局と同期を合わせた後、初期レンジング（Ｉｎｉｔｉａｌ  Ｒａｎｇｉｎｇ）を行うとともに、現在セルのチャンネル状況（ＣＩＮＲ、ＲＳＳＩ）を測定する。移動端末が測定した現在セルのチャンネル品質（Ｃｈａｎｎｅｌ  Ｑｕａｌｉｔｙ）が、特定臨界値以下となる場合、移動端末は、隣接セルのスキャニングを行う。スキャニングを行った結果、現在セルのチャンネル品質よりも良好なチャンネル品質を有する隣接セルがあると、最もチャンネル品質の良い隣接セルを選択する。移動端末は、新しいセルに移動した後、以前セルにおけると同様に、基地局と同期を合わせ、初期レンジングプロセスを行う。
【０００５】
移動端末が異種セルの選択を行うには、まず、異種セルをスキャニングするプロセスを行わねばならない。同種セル間のセル選択とは違い、異種セル間のセル選択を支援するためには様々な異種セルをスキャニングしなければならず、スキャニングにかかる時間が増加し、結果として、セル選択及びハンドオーバー（Ｈａｎｄｏｖｅｒ）の遅延時間（Ｌａｔｅｎｃｙ）が増加するという問題点があった。
【発明の概要】
【発明が解決しようとする課題】
【０００６】
したがって、本発明は、関連技術の限界や欠点に起因する一つ以上の問題を実質的に克服する位置情報に基づくセルスキャニング方法及び異種セル選択方法に関する。
【０００７】
本発明の目的は、基地局が決定する最適のセルに対してスキャニングを行うことによって、スキャニングにかかる時間を減らすことができる位置情報を用いたスキャニング方法を提供することにある。
【０００８】
本発明の他の目的は、スキャニングする異種の隣接セルの数を減らすことによって、端末のセル選択／再選択／ハンドオーバーの遅延時間を減少させることができる異種セルの基地局選択方法を提供することにある。
【０００９】
本発明の付加的な利点、目的、及び特徴は、下記の説明に部分的に記載され且つ下記の実施例から、当該技術分野における当業者にとって明らかになり、または、本発明の実施から学ぶことができる。本発明の上記の目的及びその他の利点は、添付の図面の他に、下記の説明及びその請求項により特に指摘される構造により実現及び達成することができる。
【課題を解決するための手段】
【００１０】
上記目的を達成するために、本発明の一実施例に係る位置情報を用いたスキャニング方法は、端末がネットワーク進入プロセスを行いながら、登録要請メッセージの追加フィールドを設定して、位置情報を用いたハンドオーバーが支援されるが否かを基地局に通知し、
前記端末で測定したチャンネル品質が臨界値未満であると、前記基地局から受信された位置情報（Ｌｏｃａｔｉｏｎ  Ｂａｓｅｄ  Ｓｅｒｖｉｃｅ：  ＬＢＳ）公示メッセージの基地局座標を用いてスキャニングしながらＬＢＳ情報を生成し、
前記生成されたＬＢＳ情報を、スキャニング報告メッセージに含めて前記基地局に伝送し、
前記基地局から、前記ＬＢＳ情報に基づいて選択された異種セルの推奨基地局情報を受信し、
前記推奨基地局情報に基づいてスキャニングするステップを含む。
【００１１】
好適には、前記ＬＢＳ情報は、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）またはＴＯＡ（Ｔｉｍｅ  ｏｆ  Ａｒｒｉｖａｌ）のうち少なくとも一つを含むことができる。
【００１２】
好適には、前記スキャニングするステップでは、前記端末のスキャニング要請メッセージに対応して受信したスキャニング応答メッセージのスキャン区間で、前記推奨基地局情報に基づいてスキャニングすることができる。
【００１３】
好適には、前記スキャニングするステップでは、前記端末のスキャニング要請メッセージに対応して受信したスキャニング応答メッセージのスキャン反復回数だけ、前記推奨基地局情報に基づいてスキャニングすることができる。
【００１４】
好適には、前記推奨基地局情報を受信するステップでは、前記基地局にスキャニング要請メッセージを伝送して、前記基地局から、前記ＬＢＳ情報に基づいて選択された異種セルの推奨基地局情報を受信することができる。
【００１５】
好適には、前記推奨基地局情報は、ＲＡＴ  ＩＤ及び前記ＲＡＴ  ＩＤ別推奨基地局のインデックスを含むことができる。
【００１６】
好適には、上記スキャニング方法は、前記スキャニングした結果に基づいてチャンネル品質の最も良いセルを選択するステップをさらに含むことができる。
【００１７】
また、上記目的を達成するために、本発明の他の実施例に係る位置情報を用いたスキャニング方法は、
端末がネットワーク進入プロセスを行いながら、登録要請メッセージの追加フィールドを設定して、位置情報を用いたハンドオーバーが支援されるか否かを基地局に通知し、
前記端末で測定したチャンネル品質が臨界値未満であると、前記基地局から受信したＬＢＳ公示メッセージの基地局座標を用いてスキャニングしながらＬＢＳ情報を生成し、
前記生成されたＬＢＳ情報を、スキャニング要請メッセージに含めて前記基地局に伝送し、前記基地局から、前記ＬＢＳ情報に基づいて選択された異種セルの推奨基地局情報を受信し、
前記推奨基地局情報に基づいてスキャニングするステップ、を含む。
【００１８】
また、上記目的を達成するために、本発明の他の実施例に係る、異種セル間のセル選択またはハンドオーバーを支援するために、異種セルの基地局を選択する方法は、端末から受信する登録要請メッセージの追加フィールドから、位置情報を用いたハンドオーバーが支援されると確認されると、基地局の座標を、前記基地局のＬＢＳ公示メッセージに含めて前記端末に伝送し、
前記端末から、前記基地局の座標を用いてスキャニングしながら生成されたＬＢＳ情報を、前記端末のスキャニング報告メッセージを通じて受信し、
前記ＬＢＳ情報に基づいて異種セルの基地局を選択して生成された推奨基地局情報を前記端末に伝送するステップ、を含む。
【００１９】
好適には、前記推奨基地局情報は、ＲＡＴ  ＩＤ及び前記ＲＡＴ  ＩＤ別推奨基地局のインデックスを含むことを特徴とする、請求項１１に記載の異種セル基地局選択方法。
【００２０】
また、上記目的を達成するために、本発明の他の実施例に係る、異種セル間のセル選択またはハンドオーバーを支援するために、異種セルの基地局を選択する方法は、
端末から受信する登録要請メッセージの追加フィールドから、位置情報を用いたハンドオーバーが支援されると確認されると、基地局の座標を、前記基地局のＬＢＳ公示メッセージに含めて前記端末に伝送し、
前記端末から、前記基地局の座標を用いてスキャニングしながら生成されたＬＢＳ情報を、前記端末のスキャニング要請メッセージを通じて受信し、
前記ＬＢＳ情報に基づいて異種セルの基地局を選択して生成された推奨基地局情報を、前記端末に伝送するステップ、を含む。
【００２１】
好適には、前記推奨基地局情報は、ＲＡＴ  ＩＤ及び前記ＲＡＴ  ＩＤ別推奨基地局のインデックスを含む。
【発明の効果】
【００２２】
本発明の実施形態によれば、異種セル間のセル選択／再選択／ハンドオーバーの事前プロセスであるスキャニングプロセスにおいて、移動端末の位置情報を用いて、移動端末がスキャニングすべき対象セルの数を減らすことによって、移動端末がスキャニングするのにかかる時間を節約でき、セル選択／再選択／ハンドオーバーの遅延時間を減少させることができる。
【図面の簡単な説明】
【００２３】
【図１】ＩＥＥＥ  ８０２．１６ｅシステムのセル選択プロセスを示す図である。
【図２】本発明の一実施例による位置情報を用いたスキャニング方法のフローチャートである。
【図３】図２において、基地局がスキャニング報告メッセージを受信する度に推奨基地局情報を伝送する場合における信号流れ図である。
【図４】図２において、基地局がスキャニング要請メッセージを受信する場合にのみ推奨基地局情報を伝送する場合における信号流れ図である。
【図５】本発明の他の実施例による位置情報を用いたスキャニング方法のフローチャートである。
【図６】図５の信号流れ図である。
【図７】本発明の一実施例による異種セルの基地局選択方法のフローチャートである。
【図８】本発明の他の実施例による異種セルの基地局選択方法のフローチャートである。
【発明を実施するための形態】
【００２４】
以下、添付の図面を参照しつつ、本発明の好適な実施例について説明する。ただし、下記の本発明の実施例は様々な形態に変形可能であり、これらの実施例に本発明の範囲が限定されるものではない。
【００２５】
本発明では、ＬＢＳ（Ｌｏｃａｔｉｏｎ  Ｂａｓｅｄ  Ｓｅｒｖｉｃｅ）に基づいて移動端末の異種セルのセル選択を支援する方法を、セル選択プロセスとセル選択プロセスで使用する信号メッセージ（Ｓｉｇｎａｌ  ｍｅｓｓａｇｅ）の観点で説明する。
【００２６】
図２は、本発明の一実施例による位置情報を用いたスキャニング方法のフローチャートである。
【００２７】
まず、端末が、ネットワーク進入プロセスを行いながら、登録要請メッセージの追加フィールド、すなわち、ハンドオーバー支援フィールドを設定して、位置情報を用いたハンドオーバーが支援されるか否かを基地局に通知する（Ｓ２１０）。
【００２８】
続いて、端末で測定したチャンネル品質が臨界値未満であると（Ｓ２２０）、基地局から受信したＬＢＳ公示（ＬＢＳ−ＡＤＶ）メッセージの基地局座標を用いてスキャニングしながら、ＬＢＳ情報を生成する（Ｓ２３０）。この時、チャンネル品質が臨界値以上であると、以降のスキャニング過程（Ｓ２４０〜Ｓ２６０）を保留する。
【００２９】
次に、端末で生成されたＬＢＳ情報を、スキャニング報告（ＭＯＢ＿ＳＣＮ−ＲＥＰ）メッセージに含めて基地局に伝送する（Ｓ２４０）。基地局は、このＬＢＳ情報に基づいて異種セルの推奨基地局を選択し、推奨基地局情報を生成する。基地局は、推奨基地局情報を、スキャニング報告（ＭＯＢ＿ＳＣＮ−ＲＥＰ）メッセージに対応する応答メッセージを通じて端末に伝送することができる。または、基地局は、端末で異種セルの基地局のスキャニングを要請するスキャニング要請（ＭＯＢ＿ＳＣＮ−ＲＥＱ）メッセージに対応する応答メッセージを通じて推奨基地局情報を端末に伝送することができる。
【００３０】
最終的に、端末は、推奨基地局情報から推奨基地局を確認し（Ｓ２５０）、確認された基地局をスキャニングする（Ｓ２６０）。
【００３１】
図３は、図２において、基地局がスキャニング報告（ＭＯＢ＿ＳＣＮ−ＲＥＰ）メッセージを受信する度に推奨基地局情報を伝送する場合における信号流れ図である。
【００３２】
図３は、移動端末がＩＥＥＥ  ８０２．１６ｍセルからＩＥＥＥ  ８０２．１６ｍ以外の別のセルを選択する例を示す図である。
【００３３】
まず、移動端末は、電源をつけると、サービング基地局と同期を合わせ、登録プロセを行う等の一連のプロセスを含むネットワーク進入プロセスを行う（３０１）。このプロセス３０１で、ＬＢＳ情報を用いたＩｎｔｅｒ−ＲＡＴセル選択を行うために、移動端末がネットワーク進入プロセスで基地局に伝送する登録要請（ＲＥＧ−ＲＥＱ）メッセージのハンドオーバー支援フィールド内容を修正する。これにより、基地局は、ＬＢＳ情報を用いたＩｎｔｅｒ−ＲＡＴセル選択／ハンドオーバーを支援する。
【００３４】
続いて、移動端末は、現在セルのチャンネル品質が絶対臨界値よりも小さい場合、Ｉｎｔｅｒ−ＲＡＴ隣接セルをスキャニングすると決定する（３０２）。
【００３５】
移動端末は、基地局から、周期的にサービング基地局とイントラ（Ｉｎｔｒａ）隣接基地局を含め、３個以上のＢＳの座標を含むＬＢＳ公示（ＬＢＳ−ＡＤＶ）メッセージを受信する（３０３）。移動端末は、ＢＳの座標情報を用いて、基地局が移動端末の位置を決定するのに使用するＵＬ／ＤＬ  ＴＤＯＡ値を求める。
【００３６】
続いて、移動端末は、ＬＢＳ公示（ＬＢＳ−ＡＤＶ）メッセージに含まれたセルをスキャニングするために、基地局にスキャニング要請（ＭＯＢ＿ＳＣＮ−ＲＥＱ）メッセージを伝送し（３０４）、基地局からスキャン区間、インターリービング区間、スキャン反復回数が含まれたスキャニング応答（ＭＯＢ＿ＳＣＮ−ＲＳＰ）メッセージを受信する（３０５）。
【００３７】
移動端末は、ＬＢＳ公示（ＬＢＳ−ＡＤＶ）メッセージに含まれたセルをスキャニングし（３０６）、その結果値をスキャニング報告（ＭＯＢ＿ＳＣＮ−ＲＥＰ）メッセージに含めて基地局に伝送する（３０７）。スキャニング報告（ＭＯＢ＿ＳＣＮ−ＲＥＰ）には、基地局が移動端末の位置を決定するのに用いる情報、例えば、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）、ＴＯＡ（Ｔｉｍｅ  ｏｆ  Ａｒｒｉｖａｌ）などを含めることができる。
【００３８】
基地局は、移動端末が伝送したスキャニング報告（ＭＯＢ＿ＳＣＮ−ＲＥＰ）メッセージ内の移動端末の位置関連情報と、基地局の持っている異種隣接セルの位置を共に考慮して、移動端末がスキャニングする理想的な異種の隣接セル（すなわち、推奨セル）を決定する。基地局は、推奨セルをスキャニング応答（ＭＯＢ＿ＳＣＮ−ＲＳＰ）メッセージに含めて移動端末に伝送する（３０８）。すなわち、基地局が、移動端末の位置を把握する上で必要な情報などが含まれたスキャニング報告（ＭＯＢ＿ＳＣＮ−ＲＥＰ）を受信すると、移動端末からスキャニング要請（ＭＯＢ＿ＳＣＮ−ＲＥＱ）メッセージを受信しなくても、推奨セルをスキャニングできるように、推奨セルの含まれたスキャニング応答（ＭＯＢ＿ＳＣＮ−ＲＳＰ）を移動端末に直ちに伝送する。
【００３９】
その後、移動端末は、基地局から受信したスキャニング応答（ＭＯＢ＿ＳＣＮ−ＲＳＰ）メッセージを確認し、推奨セルを確認する（３０９）。
【００４０】
続いて、移動端末は、基地局から割り当てられたスキャン区間で推奨セルをスキャニングする（３１０）。
【００４１】
移動端末は、基地局から割り当てられたインターリービング区間で、ダウンリンクメッセージを受信したり、アップリンクメッセージ（隣接公示（ＭＯＢ＿ＮＢＲ−ＡＤＶ）メッセージ、スキャニング報告（ＭＯＢ＿ＳＣＮ−ＲＥＰ）メッセージ等）を伝送する（３１１，３１２）。
【００４２】
また、移動端末は、スキャン反復回数の間、スキャニングプロセス３１０を繰り返し行う。
【００４３】
最後に、移動端末は、スキャニングした結果に基づいて最も良好なチャンネル品質を有する異種の隣接セルを選択する（３１３）。
【００４４】
本発明で用いられるメッセージの構造は、下記の通りである。
【００４５】
登録要請（ＲＥＧ−ＲＥＱ）メッセージは、ネットワーク進入プロセスにおいて移動端末が基地局に伝送するメッセージの一つであり、移動端末の持っている機能の登録を要請する役割を果たす。以下では、登録要請（ＲＥＧ−ＲＥＱ）メッセージのハンドオーバー支援フィールドを修正して、移動端末が推奨セルを用いてセル選択／再選択（Ｒｅｓｅｌｅｃｔｉｏｎ）／ハンドオーバーを支援できるようにする。
【００４６】
表１は、本発明で修正した登録要請（ＲＥＧ−ＲＥＱ）メッセージのハンドオーバー支援フィールドを表す。
【００４７】
【表１】
2011512107.tif 000003
また、ＩＥＥＥ  ８０２．１６ｍシステムで異種セル間のセル選択とハンドオーバーを支援するために、表２のように、ＤＣＤメッセージのトリガーＴＬＶ説明フィールド（Ｔｒｉｇｇｅｒ  ＴＬＶ  ｄｅｓｃｒｉｐｔｉｏｎ  ｆｉｅｌｄ）を修正する。
【００４８】
【表２】
2011512107.tif 000004
一方、スキャニング応答（ＭＯＢ＿ＳＣＮ−ＲＳＰ）は、移動端末から受信したスキャニング要請（ＭＯＢ＿ＳＣＮ−ＲＥＱ）に対する応答として基地局が移動端末に伝送するメッセージである。以下では、Ｉｎｔｅｒ−ＲＡＴセル選択／再選択／ハンドオーバーを支援するために、基地局が移動端末の位置情報に基づいて表３のように推奨セルを定めてメッセージに含める。表３は、推奨セルの含まれたスキャニング応答（ＭＯＢ＿ＳＣＮ−ＲＳＰ）の一部を表す。
【００４９】
【表３−１】
2011512107.tif 000005
【００５０】
【表３−２】
2011512107.tif 000006
図４は、図２で、基地局がスキャニング要請（ＭＯＢ＿ＳＣＮ−ＲＥＱ）メッセージを受信する場合にのみ推奨基地局情報を伝送する場合における信号流れ図である。
【００５１】
まず、移動端末は、電源をつけると、サービング基地局と同期を合わせ、登録プロセスを行う等の一連のプロセスを含むネットワーク進入プロセスを行う（４０１）。このプロセス４０１で、ＬＢＳ情報を用いたＩｎｔｅｒ−ＲＡＴセル選択を行うために、移動端末がネットワーク進入プロセスで基地局に伝送する登録要請（ＲＥＧ−ＲＥＱ）メッセージのハンドオーバー支援フィールド内容を修正する。これにより、基地局は、ＬＢＳ情報を用いたＩｎｔｅｒ−ＲＡＴセル選択／ハンドオーバーを支援する。
【００５２】
続いて、移動端末は、現在セルのチャンネル品質が絶対臨界値よりも小さい場合、Ｉｎｔｅｒ−ＲＡＴ隣接セルをスキャニングすると決定する（４０２）。
【００５３】
移動端末は、基地局から周期的にサービング基地局とイントラ隣接基地局を含め、３個以上のＢＳの座標を含むＬＢＳ公示（ＬＢＳ−ＡＤＶ）メッセージを受信する（４０３）。移動端末は、ＢＳの座標情報を用いて、基地局が移動端末の位置を決定するのに用いるＵＬ／ＤＬ  ＴＤＯＡ値を求める。
【００５４】
続いて、移動端末は、ＬＢＳ公示（ＬＢＳ−ＡＤＶ）メッセージに含まれたセルをスキャニングするために、基地局にスキャニング要請（ＭＯＢ＿ＳＣＮ−ＲＥＱ）メッセージを伝送し（４０４）、基地局からスキャン区間、インターリービング区間、スキャン反復回数が含まれたスキャニング応答（ＭＯＢ＿ＳＣＮ−ＲＳＰ）メッセージを受信する（４０５）。
【００５５】
移動端末は、ＬＢＳ公示（ＬＢＳ−ＡＤＶ）メッセージに含まれたセルをスキャニングし（４０６）、その結果値をスキャニング報告（ＭＯＢ＿ＳＣＮ−ＲＥＰ）メッセージに含めて基地局に伝送する（４０７）。スキャニング報告（ＭＯＢ＿ＳＣＮ−ＲＥＰ）メッセージには、基地局が移動端末の位置を決定する上で用いる情報、例えば、ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）、ＴＯＡ（Ｔｉｍｅ  ｏｆ  Ａｒｒｉｖａｌ）などを含めることができる。
【００５６】
基地局は、スキャニング報告（ＭＯＢ＿ＳＣＮ−ＲＥＰ）メッセージ内の移動端末の位置を決定するのに用いる情報と、基地局の持っている異種隣接セルの位置とを共に考慮して、移動端末がスキャニングする理想的な異種の隣接セル、すなわち、推奨セルを決定する（４０８）。図４は、移動端末のスキャニング報告（ＭＯＢ＿ＳＣＮ−ＲＥＰ）メッセージに対応して、基地局が、推奨セルを含むスキャニング応答（ＭＯＢ＿ＳＣＮ−ＲＳＰ）メッセージを移動端末に伝送するものではない。
【００５７】
移動端末は、自身がスキャニングすべき理想的な推奨セルの含まれたスキャニング応答（ＭＯＢ＿ＳＣＮ−ＲＳＰ）メッセージを基地局から受信するために、基地局にスキャニング要請（ＭＯＢ＿ＳＣＮ−ＲＥＱ）メッセージを伝送する（４０９）。
【００５８】
すると、基地局は、推奨セルをスキャニング応答（ＭＯＢ＿ＳＣＮ−ＲＳＰ）メッセージに含めて移動端末に伝送する（４１０）。
【００５９】
続いて、移動端末は、基地局から受信したスキャニング応答（ＭＯＢ＿ＳＣＮ−ＲＳＰ）メッセージを確認し、推奨セルを確認する（４１１）。
【００６０】
移動端末は、基地局から割り当てられたスキャン区間で、推奨セルをスキャニングする（４１２）。
【００６１】
移動端末は、基地局から割り当てられたインターリービング区間で、ダウンリンクメッセージを受信したり、アップリンクメッセージ（隣接公示（ＭＯＢ＿ＮＢＲ−ＡＤＶ）メッセージ、スキャニング報告（ＭＯＢ＿ＳＣＮ−ＲＥＰ）等）を伝送する（４１３，４１４）。また、移動端末は、スキャン反復回数の間、スキャニングプロセス（４１２）を繰り返し行う。
【００６２】
最後に、移動端末は、スキャニングした結果に基づいて、最も良好なチャンネル品質を有する異種の隣接セルを選択する（４１５）。
【００６３】
図５は、本発明の他の実施例による位置情報を用いたスキャニング方法のフローチャートである。
【００６４】
図５の実施例は、移動端末が、スキャニング要請（ＭＯＢ＿ＳＣＮ−ＲＥＱ）メッセージに、基地局が移動端末の位置情報を把握するのに必要な情報を含めて基地局に知らせるプロセスを含む。
【００６５】
まず、端末がネットワーク進入プロセスを行いながら、登録要請メッセージの追加フィールド、すなわち、ハンドオーバー支援フィールドを設定して、位置情報を用いたハンドオーバーが支援されるか否かを基地局に通知する（Ｓ５１０）。
【００６６】
続いて、端末で測定したチャンネル品質が臨界値未満であると（Ｓ５２０）、基地局から受信したＬＢＳ公示（ＬＢＳ−ＡＤＶ）メッセージの基地局座標を用いてスキャニングしながらＬＢＳ情報を生成する（Ｓ５３０）。この時、チャンネル品質が臨界値以上であると、以降のスキャニングプロセス（Ｓ５４０〜Ｓ５６０）を保留する。
【００６７】
端末で生成されたＬＢＳ情報をスキャニング要請（ＭＯＢ＿ＳＣＮ−ＲＥＱ）メッセージに含めて基地局に伝送する（Ｓ５４０）。続いて、基地局から、ＬＢＳ情報に基づいて選択された異種セルの推奨基地局情報を受信する（Ｓ５５０）。
【００６８】
最後に、推奨基地局情報に基づいてスキャニングする（Ｓ５６０）。
【００６９】
図６は、図５の信号流れ図である。
【００７０】
図６は、基地局が、移動端末が伝送したスキャニング要請（ＭＯＢ＿ＳＣＮ−ＲＥＱ）メッセージの情報に基づいて推奨セルを決定して、移動端末に知らせる方式を示す。
【００７１】
まず、移動端末は、電源をつけると、サービング基地局と同期を合わせ、登録プロセスを行う等の一連のプロセスを含むネットワーク進入プロセスを行う（６０１）。このプロセス６０１で、ＬＢＳ情報を用いたＩｎｔｅｒ−ＲＡＴセル選択を行うために、移動端末がネットワーク進入プロセスで基地局に伝送する登録要請（ＲＥＧ−ＲＥＱ）メッセージのハンドオーバー支援フィールド内容を修正する。これにより、基地局は、ＬＢＳ情報を用いたＩｎｔｅｒ−ＲＡＴセル選択／ハンドオーバーを支援する。
【００７２】
続いて、移動端末は、現在セルのチャンネル品質が絶対臨界値よりも小さい場合、Ｉｎｔｅｒ−ＲＡＴ隣接セルをスキャニングすると決定する（６０２）。
【００７３】
移動端末は、基地局から周期的にサービング基地局とイントラ隣接基地局を含め、３個以上のＢＳの座標を含むＬＢＳ公示（ＬＢＳ−ＡＤＶ）メッセージを受信する（６０３）。移動端末は、ＢＳの座標情報を用いて、基地局が移動端末の位置を決定するのに用いるＵＬ／ＤＬ  ＴＤＯＡ値を求める。
【００７４】
続いて、移動端末は、ＬＢＳ公示（ＬＢＳ−ＡＤＶ）メッセージに含まれたセルをスキャニングするために、基地局にスキャニング要請（ＭＯＢ＿ＳＣＮ−ＲＥＱ）メッセージを伝送し（６０４）、基地局からスキャン区間、インターリービング区間、スキャン反復回数が含まれたスキャニング応答（ＭＯＢ＿ＳＣＮ−ＲＳＰ）メッセージを受信する（６０５）。
【００７５】
移動端末は、ＬＢＳ公示（ＬＢＳ−ＡＤＶ）メッセージに含まれたセル及びスキャニング応答（ＭＯＢ＿ＳＣＮ−ＲＳＰ）に含まれた別の同種の隣接セルをスキャニングする（６０６）。
【００７６】
端末は、スキャニング結果値をスキャニング報告（ＭＯＢ＿ＳＣＮ−ＲＥＰ）メッセージに含めて基地局に伝送する（６０７）。
【００７７】
移動端末は、自身がスキャニングすべき理想的な推奨セルの含まれたスキャニング応答（ＭＯＢ＿ＳＣＮ−ＲＳＰ）を  基地局から受信するために、基地局にスキャニング要請（ＭＯＢ＿ＳＣＮ−ＲＥＱ）メッセージを伝送する（６０８）。ここで、スキャニング要請（ＭＯＢ＿ＳＣＮ−ＲＥＱ）メッセージには、基地局が移動端末の位置を決定する上で用いる情報、例えば、  ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）、ＴＯＡ（Ｔｉｍｅ  ｏｆ  Ａｒｒｉｖａｌ）などを含めることができる。
【００７８】
基地局は、移動端末が伝送したスキャニング要請（ＭＯＢ＿ＳＣＮ−ＲＥＱ）メッセージ内の移動端末の位置を決定するのに用いる情報と、基地局の持っている異種の隣接セルの位置とを共に考慮して、移動端末がスキャニングする理想的な異種の隣接セル、すなわち、推奨セルを決定する（６０９）。
【００７９】
基地局は、推奨セルをスキャニング応答（ＭＯＢ＿ＳＣＮ−ＲＳＰ）メッセージに含めて移動端末に伝送する（６１０）。
【００８０】
移動端末は、基地局から受信したスキャニング応答（ＭＯＢ＿ＳＣＮ−ＲＳＰ）メッセージを確認し、推奨セルを確認する（６１１）。
【００８１】
続いて、移動端末は、基地局から割り当てられたスキャン区間で、推奨セルをスキャニングする（６１２）。
【００８２】
移動端末は、基地局から割り当てられたインターリービング区間で、ダウンリンクメッセージを受信したり、アップリンクメッセージ（隣接公示（ＭＯＢ＿ＮＢＲ−ＡＤＶ）メッセージ、スキャニング報告（ＭＯＢ＿ＳＣＮ−ＲＥＰ）メッセージ等）を伝送する（６１３，６１４）。また、移動端末は、スキャン反復回数の間、スキャニングプロセス（６１２）を繰り返し行う。
【００８３】
最後に、移動端末は、スキャニングした結果に基づいて、最も良好なチャンネル品質を有する異種の隣接セルを選択する（６１５）。
【００８４】
図７は、本発明の一実施例による異種セルの基地局選択方法のフローチャートである。
【００８５】
端末から受信しる登録要請メッセージの追加フィールドから、位置情報を用いたハンドオーバーが支援されると確認されると（Ｓ７１０）、基地局の座標を、基地局のＬＢＳ公示（ＬＢＳ−ＡＤＶ）メッセージに含めて端末に伝送する（Ｓ７２０）。この時、位置情報を用いたハンドオーバーが支援されないと、以降のプロセスを行わない。
【００８６】
続いて、端末がスキャニング要請（ＭＯＢ＿ＳＣＮ−ＲＥＱ）メッセージを基地局に伝送すると、次のプロセスを行う（Ｓ７３０）。
【００８７】
端末で基地局の座標を用いてスキャニングしながら生成されたＬＢＳ情報を、端末のスキャニング報告（ＭＯＢ＿ＳＣＮ−ＲＥＰ）メッセージを通じて受信する（Ｓ７４０）。スキャニング報告（ＭＯＢ＿ＳＣＮ−ＲＥＰ）メッセージ受信プロセス（Ｓ７４０）は、サービング基地局により定められたスキャニング反復回数だけ繰り返し行うことができる。
【００８８】
続いて、ＬＢＳ情報に基づいて異種セルの基地局を選択する（Ｓ７５０）。
【００８９】
続いて、選択された基地局、すなわち、推奨基地局に関する情報をスキャニング応答（ＭＯＢ＿ＳＣＮ−ＲＳＰ）メッセージを通じて端末に伝送する（Ｓ７６０）。
【００９０】
この時、基地局が、推奨基地局情報を含むスキャニング応答（ＭＯＢ＿ＳＣＮ−ＲＳＰ）メッセージを、スキャニング報告（ＭＯＢ＿ＳＣＮ−ＲＥＰ）メッセージに対応して端末に伝送することができる。または、サービング基地局により定められたスキャニング反復回数が完了した後に、端末がスキャニング要請（ＭＯＢ＿ＳＣＮ−ＲＥＱ）メッセージを基地局に伝送すると、推奨基地局情報を含むスキャニング応答（ＭＯＢ＿ＳＣＮ−ＲＳＰ）メッセージを端末に伝送することもできる。
【００９１】
図８は、本発明の他の実施例による異種セルの基地局選択方法のフローチャートである。
【００９２】
端末から受信した登録要請メッセージの追加フィールドから、位置情報を用いたハンドオーバーが支援されると確認されると（Ｓ８１０）、基地局の座標を基地局のＬＢＳ公示（ＬＢＳ−ＡＤＶ）メッセージに含めて端末に伝送する（Ｓ８２０）。この時、位置情報を用いたハンドオーバーが支援されないと、以降のプロセスを行わない。
【００９３】
続いて、端末は、基地局にスキャニング要請（ＭＯＢ＿ＳＣＮ−ＲＥＱ）メッセージを伝送して、基地局の座標を用いてスキャニングしながらＬＢＳ情報を生成する。
【００９４】
基地局に、ＬＢＳ情報の含まれたスキャニング要請（ＭＯＢ＿ＳＣＮ−ＲＥＱ）メッセージが受信されると（Ｓ８３０）、ＬＢＳ情報に基づいて異種セルの基地局を選択する（Ｓ８４０）。
【００９５】
最後に、選択された基地局、すなわち、推奨基地局に関する情報をスキャニング応答（ＭＯＢ＿ＳＣＮ−ＲＳＰ）メッセージを通じて端末に伝送する（Ｓ８５０）。
【００９６】
以上では図面に基づく実施例に挙げて本発明を説明してきたが、これは例示的なものに過ぎず、当該技術分野で通常の知識を有する者にとっては様々な改変が可能であるということは明らかである。そして、このような改変は、本発明の技術的保護範囲内に含まれると解釈すべきである。したがって、本発明の真の技術的保護範囲は、添付の特許請求の範囲の技術的思想によって定められるべきである。
【産業上の利用可能性】
【００９７】
本発明は、移動端末が異種のセル選択／再選択／ハンドオーバーなどを行うのにかかる時間を短縮できる方法に関するもので、ＩＥＥＥ  ８０２．１６ｍと異種セル間のセル選択／再選択／ハンドオーバーだけでなく、ＩＥＥＥ  ８０２．１６ｍの同種セル間のセル選択／再選択／ハンドオーバーにも適用することができ、関連する端末、基地局などの装置に適用することができる。
【図１】
2011512107.tif 000007
【図２】
2011512107.tif 000008
【図３】
2011512107.tif 000009
【図４】
2011512107.tif 000010
【図５】
2011512107.tif 000011
【図６】
2011512107.tif 000012
【図７】
2011512107.tif 000013
【図８】
2011512107.tif 000014
【手続補正書】
【提出日】平成22年8月13日(2010.8.13)
【手続補正１】
【補正対象書類名】明細書
【補正対象項目名】００２１
【補正方法】変更
【補正の内容】
【００２１】
好適には、前記推奨基地局情報は、ＲＡＴ  ＩＤ及び前記ＲＡＴ  ＩＤ別推奨基地局のインデックスを含む。
（項目１）
異種セル間のセル選択またはハンドオーバーを行うために、異種セルをスキャニングする方法であって、
端末がネットワーク進入プロセスを行いながら、登録要請メッセージの追加フィールドを設定して、位置情報を用いたハンドオーバーが支援されるが否かを基地局に通知するステップと、
前記端末で測定したチャンネル品質が臨界値未満であると、前記基地局から受信された位置情報（Ｌｏｃａｔｉｏｎ  Ｂａｓｅｄ  Ｓｅｒｖｉｃｅ：  ＬＢＳ）公示メッセージの基地局座標を用いてスキャニングしながらＬＢＳ情報を生成するステップと、
前記生成されたＬＢＳ情報を、スキャニング報告メッセージに含めて前記基地局に伝送するステップと、
前記基地局から、前記ＬＢＳ情報に基づいて選択された異種セルの推奨基地局情報を受信するステップと、
前記推奨基地局情報に基づいてスキャニングするステップと、
を含む、位置情報を用いたスキャニング方法。
（項目２）
前記ＬＢＳ情報は、
ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）またはＴＯＡ（Ｔｉｍｅ  ｏｆ  Ａｒｒｉｖａｌ）のうち少なくとも一つを含むことを特徴とする、項目１に記載の位置情報を用いたスキャニング方法。
（項目３）
前記スキャニングするステップは、
前記端末のスキャニング要請メッセージに対応して受信したスキャニング応答メッセージのスキャン区間で、前記推奨基地局情報に基づいてスキャニングすることを特徴とする、項目１に記載の位置情報を用いたスキャニング方法。
（項目４）
前記スキャニングするステップは、
前記端末のスキャニング要請メッセージに対応して受信したスキャニング応答メッセージのスキャン反復回数だけ、前記推奨基地局情報に基づいてスキャニングすることを特徴とする、項目１に記載の位置情報を用いたスキャニング方法。
（項目５）
前記推奨基地局情報を受信するステップは、
前記基地局にスキャニング要請メッセージを伝送して、前記基地局から、前記ＬＢＳ情報に基づいて選択された異種セルの推奨基地局情報を受信することを特徴とする、項目１に記載の位置情報を用いたスキャニング方法。
（項目６）
前記推奨基地局情報は、
ＲＡＴ  ＩＤ及び前記ＲＡＴ  ＩＤ別推奨基地局のインデックスを含むことを特徴とする、項目１に記載の位置情報を用いたスキャニング方法。
（項目７）
前記スキャニングした結果に基づいてチャンネル品質の最も良いセルを選択するステップをさらに含むことを特徴とする、項目１に記載の位置情報を用いたスキャニング方法。
（項目８）
異種セル間のセル選択またはハンドオーバーを行うために、異種セルをスキャニングする方法であって、
端末がネットワーク進入プロセスを行いながら、登録要請メッセージの追加フィールドを設定して、位置情報を用いたハンドオーバーが支援されるか否かを基地局に通知するステップと、
前記端末で測定したチャンネル品質が臨界値未満であると、前記基地局から受信したＬＢＳ公示メッセージの基地局座標を用いてスキャニングしながらＬＢＳ情報を生成するステップと、
前記生成されたＬＢＳ情報を、スキャニング要請メッセージに含めて前記基地局に伝送し、前記基地局から、前記ＬＢＳ情報に基づいて選択された異種セルの推奨基地局情報を受信するステップと、
前記推奨基地局情報に基づいてスキャニングするステップと、
を含む、位置情報を用いたスキャニング方法。
（項目９）
前記ＬＢＳ情報は、
ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）またはＴＯＡ（Ｔｉｍｅ  ｏｆ  Ａｒｒｉｖａｌ）のうち少なくとも一つを含むことを特徴とする、項目８に記載の位置情報を用いたスキャニング方法。
（項目１０）
前記推奨基地局情報は、
ＲＡＴ  ＩＤ及び前記ＲＡＴ  ＩＤ別推奨基地局のインデックスを含むことを特徴とする、項目８に記載の位置情報を用いたスキャニング方法。
（項目１１）
異種セル間のセル選択またはハンドオーバーを支援するために、異種セルの基地局を選択する方法であって、
端末から受信する登録要請メッセージの追加フィールドから、位置情報を用いたハンドオーバーが支援されると確認されると、基地局の座標を、前記基地局のＬＢＳ公示メッセージに含めて前記端末に伝送するステップと、
前記端末から、前記基地局の座標を用いてスキャニングしながら生成されたＬＢＳ情報を、前記端末のスキャニング報告メッセージを通じて受信するステップと、
前記ＬＢＳ情報に基づいて異種セルの基地局を選択して生成された推奨基地局情報を前記端末に伝送するステップと、
を含む、異種セルの基地局選択方法。
（項目１２）
前記推奨基地局情報は、
ＲＡＴ  ＩＤ及び前記ＲＡＴ  ＩＤ別推奨基地局のインデックスを含むことを特徴とする、項目１１に記載の異種セル基地局選択方法。
（項目１３）
異種セル間のセル選択またはハンドオーバーを支援するために、異種セルの基地局を選択する方法であって、
端末から受信する登録要請メッセージの追加フィールドから、位置情報を用いたハンドオーバーが支援されると確認されると、基地局の座標を、前記基地局のＬＢＳ公示メッセージに含めて前記端末に伝送するステップと、
前記端末から、前記基地局の座標を用いてスキャニングしながら生成されたＬＢＳ情報を、前記端末のスキャニング要請メッセージを通じて受信するステップと、
前記ＬＢＳ情報に基づいて異種セルの基地局を選択して生成された推奨基地局情報を、前記端末に伝送するステップと、
を含む、異種セルの基地局選択方法。
（項目１４）
前記推奨基地局情報は、
ＲＡＴ  ＩＤ及び前記ＲＡＴ  ＩＤ別推奨基地局のインデックスを含むことを特徴とする、項目１３に記載の異種セル基地局選択方法。
【手続補正２】
【補正対象書類名】特許請求の範囲
【補正対象項目名】全文
【補正方法】変更
【補正の内容】
【特許請求の範囲】
【請求項１】
異種セル間のセル選択またはハンドオーバーを行うために、異種セルをスキャニングする方法であって、
端末が、ネットワーク進入プロセスにおいて、位置ベースサービス（ＬＢＳ）能力を支援するか否かを指示するフィールドを含む登録要請メッセージを、基地局に伝送するステップと、
前記端末の位置判断のための基地局の座標を含む位置ベースサービス公示メッセージを、前記基地局から受信するステップと、
前記端末の位置情報を含むスキャニング要請メッセージを前記基地局に伝送するステップと、
前記端末の位置情報に基づいて異種のセル（ｈｅｔｅｒｏｇｅｎｅｏｕｓ  ｃｅｌｌｓ）の中から選択された推奨基地局情報を、前記基地局から受信するステップと、
前記推奨基地局情報に基づいてスキャニングを行うステップと、
を含む、スキャニング方法。
【請求項２】
前記推奨基地局情報は、
ＲＡＴ  ＩＤ及び前記ＲＡＴ  ＩＤ別推奨基地局のインデックスを含むことを特徴とする、請求項１に記載のスキャニング方法。
【請求項３】
前記スキャニング要請メッセージの伝送は、前記端末が測定したチャンネル品質が、所定の臨界値以下である場合に行われることを特徴とする、請求項１に記載のスキャニング方法。
【請求項４】
前記スキャニングするステップは、
前記端末のスキャニング要請メッセージに対応して受信したスキャニング応答メッセージのスキャン反復回数だけ、前記推奨基地局情報に基づいてスキャニングすることを特徴とする、請求項１に記載のスキャニング方法。
【請求項５】
前記スキャニングの結果に基づいてチャンネル品質の最も高いセルを選択するステップをさらに含むことを特徴とする、請求項１に記載のスキャニング方法。
【請求項６】
異種セル間のセル選択またはハンドオーバーを行うために、異種セルをスキャニングする方法であって、
基地局から、端末から受信した登録要請メッセージのフィールドから、前記端末が位置ベースサービス（ＬＢＳ）能力を支援すると判断される場合、前記端末の位置判断のための基地局の座標を含む位置ベースサービス公示メッセージを、前記端末に伝送するステップと、
前記端末の位置情報を含むスキャニング要請メッセージを、前記端末から受信するステップと、
前記端末の位置情報に基づいて異種セル（ｈｅｔｅｒｏｇｅｎｅｏｕｓ  ｃｅｌｌｓ）の中から選択された推奨基地局情報を、前記端末に伝送するステップと、
を含む、スキャニング方法。
【請求項７】
前記推奨基地局情報は、
ＲＡＴ  ＩＤ及び前記ＲＡＴ  ＩＤ別推奨基地局のインデックスを含むことを特徴とする、請求項６に記載のスキャニング方法。
【請求項８】
前記スキャニング要請メッセージは、
ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）、ＴＯＡ（Ｔｉｍｅ  ｏｆ  Ａｒｒｉｖａｌ）及びＲＤ（Ｒｅｌａｔｉｖｅ  Ｄｅｌａｙ）のうち少なくとも一つを含むことを特徴とする、請求項７に記載のスキャニング方法。
【請求項９】
異種セル間のセル選択またはハンドオーバーを行うために、異種セルのスキャニングを行う端末装置であって、
プロセッサーと、
前記プロセッサーの制御によって外部と無線信号を送受信するための無線通信（ＲＦ）モジュールと、
を含み、
前記プロセッサーは、ネットワーク進入プロセスにおいて、前記端末装置が位置ベースサービス（ＬＢＳ）能力を支援するか否かを指示するフィールドを含む登録要請メッセージを基地局に伝送し、前記端末装置の位置判断のための基地局の座標を含む位置ベースサービス公示メッセージを前記基地局から受信すると、前記端末装置の位置情報を含むスキャニング要請メッセージを前記基地局に伝送し、前記端末の位置情報に基づいて異種セル（ｈｅｔｅｒｏｇｅｎｅｏｕｓ  ｃｅｌｌｓ）の中から選択された推奨基地局情報を前記基地局から受信すると、前記推奨基地局情報に基づいてスキャニングを行うように制御することを特徴とする端末装置。
【請求項１０】
前記推奨基地局情報は、
ＲＡＴ  ＩＤ及び前記ＲＡＴ  ＩＤ別推奨基地局のインデックスを含むことを特徴とする、請求項９に記載の端末装置。
【請求項１１】
前記プロセッサーは、
測定したチャンネル品質が所定の臨界値以下である場合、前記スキャニング要請メッセージが伝送されるように制御することを特徴とする、請求項９に記載の端末装置。
【請求項１２】
前記プロセッサーは、
前記スキャニングが、前記スキャニング要請メッセージに対応して受信されたスキャニング応答メッセージのスキャン反復回数だけ、前記推奨基地局情報に基づいて行われるように制御することを特徴とする、請求項９に記載の端末装置。
【請求項１３】
前記プロセッサーは、
前記スキャニングの結果に基づいてチャンネル品質の最も高いセルを選択するように制御することを特徴とする、請求項９に記載の端末装置。
【請求項１４】
異種セル間のセル選択またはハンドオーバーを行うために、異種セルをスキャニングする方法であって、
端末から、ネットワーク進入プロセスにおいて、位置ベースサービス（ＬＢＳ）能力が支援されることを指示するフィールドを含む登録要請メッセージを、基地局に伝送するステップと、
前記基地局に、位置ベースサービス情報のためのスキャニングを行うためにスキャン要請メッセージを伝送するステップと、
前記位置ベースサービス情報のためのスキャニングを行うステップと、
前記位置ベースサービス情報を含むスキャン報告メッセージを前記基地局に伝送するステップと、
を含む、スキャニング方法。
【請求項１５】
前記位置ベースサービス情報に基づいて異種セル（ｈｅｔｅｒｏｇｅｎｅｏｕｓ  ｃｅｌｌｓ）の中から選択された推奨基地局情報を、前記基地局から受信するステップと、
前記推奨基地局情報に基づいてスキャニングを行うステップと、
をさらに含むことを特徴とする、請求項１４に記載のスキャニング方法。
【請求項１６】
前記位置ベースサービス情報は、
ＲＳＳＩ（Ｒｅｃｅｉｖｅｄ  Ｓｉｇｎａｌ  Ｓｔｒｅｎｇｔｈ  Ｉｎｄｉｃａｔｉｏｎ）、ＣＩＮＲ（Ｃａｒｒｉｅｒ  ｔｏ  Ｉｎｔｅｒｆｅｒｅｎｃｅ  ａｎｄ  Ｎｏｉｓｅ  Ｒａｔｉｏ）、ＵＬ／ＤＬ  ＴＤＯＡ（Ｔｉｍｅ  Ｄｉｆｆｅｒｅｎｃｅ  ｏｆ  Ａｒｒｉｖａｌ）、ＴＯＡ（Ｔｉｍｅ  ｏｆ  Ａｒｒｉｖａｌ）及びＲＤ（Ｒｅｌａｔｉｖｅ  Ｄｅｌａｙ）のうち少なくとも一つを含むことを特徴とする、請求項１４に記載の位置情報を用いたスキャニング方法。
【請求項１７】
前記スキャニングを行うステップは、
前記端末のスキャニング要請メッセージに対応して受信されたスキャニング応答メッセージのスキャン区間で、前記推奨基地局情報に基づいてスキャニングを行うことを特徴とする、請求項１５に記載のスキャニング方法。
【請求項１８】
前記推奨基地局情報は、
ＲＡＴ  ＩＤ及び前記ＲＡＴ  ＩＤ別推奨基地局のインデックスを含むことを特徴とする、請求項１５に記載のスキャニング方法。
【請求項１９】
前記スキャニングの結果に基づいてチャンネル品質の最も高いセルを選択するステップをさらに含むことを特徴とする、請求項１４に記載のスキャニング方法。
【請求項２０】
基地局の座標を含む位置ベースサービス公示メッセージを、前記基地局から受信するステップをさらに含むことを特徴とする、請求項１４に記載のスキャニング方法。
【国際調査報告】
2011512107.tif 000015
2011512107.tif 000016